(57)【特許請求の範囲】
【請求項１】
遊技球が載置される球発射レールと、該球発射レールに載置された遊技球を打球する打球槌と、該打球槌及び上記球発射レールが取り付けられ、遊技盤の盤面に対して平行に配置されるベース板と、を備える遊技機の球発射装置において、
上記球発射レールにおける、遊技球が載置される載置面は、上記ベース板の表面に垂直な前後方向の奥側に位置する奥側傾斜面と、上記前後方向の手前側に位置する手前側傾斜面とによるＶ形状溝によって形成されており、
該Ｖ形状溝における、上記奥側傾斜面と上記手前側傾斜面との間には、上記前後方向に傾斜する線状底部が形成されており、
上記球発射レールは、上記線状底部の全体を含む、上記ベース板の表面に垂直な仮想面に沿って、上記ベース板の表面に平行にスライド可能であり、上記Ｖ形状溝に載置される遊技球の上記前後方向における発射位置を変化させるよう構成されていることを特徴とする遊技機の球発射装置。
【請求項２】
上記球発射レールは、金属板を折曲げ加工して形成されており、かつ、上記Ｖ形状溝が形成された第１板部と、該第１板部における奥側端部及び手前側端部から互いに平行に形成された一対の第２板部とによるＭ形状を有していることを特徴とする請求項１に記載の遊技機の球発射装置。
【発明の詳細な説明】
【技術分野】
【０００１】
本発明は、遊技機における遊技領域へ遊技球を発射させる球発射装置に関する。
【背景技術】
【０００２】
パチンコ遊技機等の遊技機においては、球発射レールに載置された遊技球を、打球槌によって打球して、遊技盤における遊技領域へ発射させている。そして、球発射レールの位置を調整することにより、打球槌によって打球される遊技球の位置が変化し、打球槌による遊技球の前後方向における打球位置を変化させている。
例えば、特許文献１の遊技機用球発射装置においては、異なる高さをもつ複数のレール受部が形成された角度調整ブロックを用いている。そして、角度調整ブロックを回転させて発射レールの側板を支持するレール受部を変更することにより、発射レールにおけるＶ状溝の前後方向の位置を異ならせて、遊技球の前後方向における打球位置を微調整している。
【先行技術文献】
【特許文献】
【０００３】
【特許文献１】特開２０１４−１０４３２９号公報
【発明の概要】
【発明が解決しようとする課題】
【０００４】
しかしながら、特許文献１の球発射装置においては、角度調整ブロックを、一旦発射レールから取り外し、複数のレール受部のうちのいずれかを遊技球を受ける位置にして、再度発射レールに取り付ける必要がある。そのため、発射レールにおけるＶ状溝の前後方向の位置を調整する作業が面倒である。また、角度調整ブロックを、発射レールとは別部品で準備する必要があり、部品点数の増加を招く。そして、反射レールの前後方向の位置は、角度調整ブロックの加工誤差、組付誤差等の影響を受けて微小に変化する、そのため、特許文献１の角度調整ブロックは、遊技球の前後方向の発射位置の微調整する上で十分とは言えない。
【０００５】
本発明は、かかる背景に鑑みてなされたもので、別途、部品を使用することなく、遊技球の前後方向における発射位置を、容易に変化させることができる遊技機の球発射装置を提供しようとして得られたものである。
【課題を解決するための手段】
【０００６】
本発明の一態様は、遊技球が載置される球発射レールと、該球発射レールに載置された遊技球を打球する打球槌と、該打球槌及び上記球発射レールが取り付けられ、遊技盤の盤面に対して平行に配置されるベース板と、を備える遊技機の球発射装置において、
上記球発射レールにおける、遊技球が載置される載置面は、上記ベース板の表面に垂直な前後方向の奥側に位置する奥側傾斜面と、上記前後方向の手前側に位置する手前側傾斜面とによるＶ形状溝によって形成されており、
該Ｖ形状溝における、上記奥側傾斜面と上記手前側傾斜面との間には、上記前後方向に傾斜する線状底部が形成されており、
上記球発射レールは、上記線状底部の全体を含む、上記ベース板の表面に垂直な仮想面に沿って、上記ベース板の表面に平行にスライド可能であり、上記Ｖ形状溝に載置される遊技球の上記前後方向における発射位置を変化させるよう構成されていることを特徴とする遊技機の球発射装置にある。
【発明の効果】
【０００７】
上記遊技機の球発射装置においては、球発射レールの載置面に形成されたＶ形状溝の線状底部を、ベース板の表面に垂直な前後方向（遊技盤の前後方向）に傾斜させている。そして、球発射レールは、線状底部の全体を含む、ベース板の表面に垂直な仮想面に沿って、ベース板の表面に平行にスライド可能である。そのため、球発射レールをスライドさせることにより、Ｖ形状溝に載置される遊技球の前後方向における発射位置を、容易に変化させることができる。
【０００８】
また、球発射レールは、ベース板の表面に平行にスライドするのみであり、ベース板の表面に垂直な方向における位置は変化しない。また、球発射レール以外の別部品を用いる必要がなく、部品点数が増加することもない。そして、別部品を用いる必要がないことにより、別部品の加工誤差、組付誤差等の影響を受けることがなく、球発射レールは、遊技球の前後方向の発射位置の微調整に最適である。
【０００９】
それ故、上記遊技機の球発射装置によれば、別途、部品を使用することなく、遊技球の前後方向における発射位置を、容易に変化させることができる。
【図面の簡単な説明】
【００１０】
【図１】実施例にかかる、打球槌が初期位置にある球発射装置を、ベース板の表面側から見た状態で示す断面説明図。
【図２】実施例にかかる、打球槌が打球位置にある球発射装置を、ベース板の表面側から見た状態で示す断面説明図。
【図３】実施例にかかる、球発射レールを示す斜視図。
【図４】実施例にかかる、球発射レールの周辺を、斜め上方から見た状態で示す断面説明図。
【図５】実施例にかかる、球発射レールの周辺を、球発射レールの前端側から見た状態で示す断面説明図。
【図６】実施例にかかる、打球槌の回動支点部の周辺を示す断面説明図。
【図７】実施例にかかる、球発射装置を配置した遊技機を示す説明図。
【図８】実施例にかかる、他の球発射レールの周辺を、斜め上方から見た状態で示す断面説明図。
【発明を実施するための形態】
【００１１】
上述した遊技機の球発射装置における好ましい実施の形態について説明する。
上記遊技機の球発射装置においては、上記球発射レールは、金属板を折曲げ加工して形成されており、かつ、上記Ｖ形状溝が形成された第１板部と、該第１板部における奥側端部及び手前側端部から互いに平行に形成された一対の第２板部とによるＭ形状を有していてもよい。
この場合には、球発射レールの形成が容易である。
【実施例】
【００１２】
以下に、遊技機の球発射装置にかかる実施例について、図面を参照して説明する。
本例の遊技機６の球発射装置１は、図１、図７に示すように、遊技球８が載置される球発射レール４と、球発射レール４に載置された遊技球８を打球する打球槌３と、打球槌３及び球発射レール４が取り付けられ、遊技盤６２の盤面に対して平行に配置されるベース板２とを備える。図３に示すように、球発射レール４における、遊技球８が載置される載置面４０は、ベース板２の表面２０１に垂直な前後方向Ｄの奥側に位置する奥側傾斜面４１１と、前後方向Ｄの手前側に位置する手前側傾斜面４１２とによるＶ形状溝４１によって形成されている。
【００１３】
Ｖ形状溝４１における、奥側傾斜面４１１と手前側傾斜面４１２との間には、前後方向Ｄに傾斜する線状底部４１３が形成されている。図２、図３に示すように、球発射レール４は、線状底部４１３の全体を含む、ベース板２の表面２０１に垂直な仮想面Ｘに沿って、ベース板２の表面２０１に平行にスライド可能である。球発射レール４は、スライドすることによって、Ｖ形状溝４１に載置される遊技球８の前後方向Ｄにおける発射位置を変化させるよう構成されている。
【００１４】
以下に、本例の遊技機６の球発射装置１について、図１〜図８を参照して詳説する。
図７に示すように、本例の遊技機６はパチンコ遊技機６であり、球発射装置１のベース板２は、遊技機６の本体枠６１に取り付けられる。本体枠６１には、遊技領域６２１が形成された遊技盤６２が配置されている。遊技盤６２には、遊技球８を遊技領域６２１に導くための円弧状の外レール６３と、外レール６３の内側に対向して外レール６３との間に遊技球８を誘導する内レール６４とが配置されている。また、球発射装置１と外レール６３との間には、打球槌３によって打球される遊技球８を外レール６３へ誘導する誘導部材６５が配置されている。球発射レール４から打球槌３によって打球される遊技球８は、外レール６３に向けて発射される。本体枠６１には、球皿６６から流下する遊技球８を１球ずつ整流して球発射レール４へ送り出す整流器が配置されている。整流器は、球発射装置１のベース板２に対して球発射レール４が取り付けられた、前後方向Ｄの手前側から球発射レール４へ遊技球８を供給する。
【００１５】
図１、図５に示すように、球発射装置１におけるベース板２は、金属（板金）によって構成されている。ベース板２には、球発射レール４のスライドを案内する複数の案内支柱２１と、球発射レール４をベース板２に固定するためのビス２２１が螺合される複数の固定支柱２２とが設けられている。ベース板２における、球発射レール４の配置箇所には、樹脂から構成された球案内部材５が配置されている。
本例のベース板２には、案内支柱２１と固定支柱２２とがそれぞれ２つずつ形成されている。２つの案内支柱２１及び２つの固定支柱２２は、球発射レール４をスライドさせる方向Ｓに並んで形成されている。球発射レール４のスライド位置が決定されたときには、固定支柱２２にビス２２１を締め付けて、球発射レール４の位置が固定される。
【００１６】
球案内部材５には、球発射レール４に載置された遊技球８を支える球支持部５１が設けられている。球支持部５１は、ベース板２の表面２０１に対して垂直に突出する状態で形成されている。球支持部５１における遊技球８を受ける部位は、ベース板２に垂直な（前後方向Ｄに平行な）直線状に形成されている。球発射レール４の載置面４０における遊技球８は、球支持部５１によって支持されて、着座位置４４に維持される。球支持部５１の構成により、球発射レール４のスライド位置を調整しても、遊技球８の着座位置４４（遊技機６における打球方向Ｒの位置）が変化しないようにすることができる。
【００１７】
図３に示すように、球発射レール４は、金属板を折曲げ加工して形成されている。球発射レール４は、Ｖ形状溝４１が形成された第１板部４２と、第１板部４２における奥側端部及び手前側端部から互いに平行に形成された一対の第２板部４３とによるＭ形状を有している。
なお、球発射レール４がＭ形状を有していることにより、曲げ加工を行う際に形成する傾斜角度の加工精度が、Ｌ形状の場合よりも出やすく、容易に正規の形状が得られる。これにより、球発射レール４のベース板２への取付精度を出すために、強制的に一対の第２板部４３の両方をベース板２に固定する必要はなく、一方（手前側）の第２板部４３だけをベース板２に固定するだけでよい
。
【００１８】
図１、図３に示すように、球発射レール４の手前側の第２板部４３には、案内支柱２１の先端部に設けられた案内突起２１１が挿入された案内用長穴４３１が複数（本例では２つ）形成されている。球発射レール４の奥側の第２板部４３には、固定支柱２２が挿入された逃し用長穴４３２が（本例では１つ）形成されており、手前側の第２板部４３には、固定支柱２２に螺合されるビス２２１が挿通される逃し用長穴４３３が（本例では２つ）形成されている。
球発射レール４の線状底部４１３は、一対の第２板部４３の対向方向Ｔであってベース板２の前後方向Ｄに傾斜している。線状底部４１３は、球発射レール４を単体で見たときの高さ方向Ｈには傾斜していない。球発射レール４の高さ方向Ｈとは、一対の第２板部４３に対して第１板部４２が位置する方向であって、対向方向Ｔに直交する方向のことをいう。
【００１９】
図３に示すように、２つの案内用長穴４３１は、球発射レール４のスライド方向Ｓに平行に形成されている。２つの案内用長穴４３１は、高さ方向Ｈにおける同じ高さの位置に並んで形成されている。球発射レール４の一対の第２板部４３は、ベース板２の表面２０１と平行に配置される。
図５に示すように、球発射レール４における奥側傾斜面４１１と手前側傾斜面４１２との前後方向Ｄ（及び一対の第２板部４３の対向方向Ｔ）における傾斜角度θ１，θ２は同じである。言い換えれば、球発射レール４を単体で見たときに、対向方向Ｔに平行な仮想線に対して奥側傾斜面４１１が傾斜する角度θ１と、この仮想線に対して手前側傾斜面４１２が傾斜する角度θ２とは同じである。また、打球槌３の打球部３３は、前後方向Ｄにおいて一対の第２板部４３の間の中心部に配置される。
【００２０】
図３、図５に示すように、線状底部４１３が対向方向Ｔに傾斜している（垂直でない）ことにより、対向方向Ｔにおける奥側傾斜面４１１の幅と、対向方向Ｔにおける手前側傾斜面４１２の幅とは、高さ方向Ｈ及び対向方向Ｔに直交する長さ方向Ｌの位置に応じて変化している。そして、各傾斜面４１１，４１２の傾斜角度θ１，θ２が同じであることにより、球発射レール４の高さ方向Ｈにおいて、長さ方向Ｌの前端部（及び後端部）における、奥側傾斜面４１１の奥側頂点部４１１Ａの高さ位置と手前側傾斜面４１２の手前側頂点部４１２Ａの高さ位置とが異なっている。
【００２１】
図２に示すように、打球槌３による遊技球８の打球方向Ｒは、水平方向に対して４５°傾斜する方向として設定されている。球発射レール４は、打球槌３によって打球される遊技球８が、奥側頂点部４１１Ａ又は手前側頂点部４１２Ａに接触することを防止するために、線状底部４１３を含む、ベース板２の表面２０１に垂直な仮想面Ｘが、水平方向に対して４２°傾斜する状態で、ベース板２の球案内部材５に配置されている。これと同時に、球発射レール４のスライド方向Ｓは、水平方向に対して４２°傾斜している。言い換えれば、仮想面Ｘ及び球発射レール４のスライド方向Ｓは、打球方向Ｒに対して３°だけ退避している。
【００２２】
図４に示すように、整流器から球発射レール４への遊技球８の供給は、球発射レール４に対する手前側から奥側に向けて行われる。整流器から球発射レール４に供給される遊技球８の経路を矢印Ｅによって示す。整流器から球発射レール４に供給される遊技球８は、球発射レール４の載置面４０を後方へ転がって、球発射レール４の載置面４０における後端側部分に設定された着座位置４４に着座する。
【００２３】
球発射レール４の載置面４０における着座位置４４に載置される遊技球８は、奥側傾斜面４１１と手前側傾斜面４１２とに接触し、線状底部４１３の上方に位置して、ベース板２（及び遊技盤６２）に対する前後方向Ｄの位置が決定される。そして、球発射レール４をスライド方向Ｓにスライドさせるときには、着座位置４４に対向する線状底部４１３の前後方向Ｄの位置が変化する。これにより、球発射レール４の着座位置４４に載置される遊技球８の前後方向Ｄの位置が変化する。この遊技球８の前後方向Ｄにおける位置の変化を矢印Ｆによって示す。そして、球発射レール４をスライドさせることにより、打球槌３によって打球されて飛ぶ遊技球８の位置が、奥側としての遊技盤６２側に近くなるか、手前側としてのガラス板側に近くなるかを調整することができる。また、この球発射レール４の調整は無段階で行うことができるので、球発射レール４のスライド範囲を大きくすれば、更に精度を上げて遊技球８の着座位置４４を微調整することもできる。
【００２４】
本例の球発射レール４は、図４に示すように、線状底部４１３の前後方向Ｄにおける位置が、打球方向Ｒ（打球方向Ｒの前方）に向かうに連れて手前側に位置する状態で配置されている。この場合には、球発射レール４の奥側傾斜面４１１における後端側部分の前後方向Ｄの幅が小さくなるとともに、手前側傾斜面４１２における後端側部分の前後方向Ｄの幅が大きくなる。そして、着座位置４４における遊技球８の前後方向Ｄの位置がベース板２の側に近くなる。
また、この場合には、整流器から球発射レール４に供給された遊技球８が、奥側に向かって転がりながら着座位置４４に案内される際に、遊技球８の転動方向が線状底部４１３の前後の傾き方向と同じ方向の成分を有することから、スムーズに遊技球８を着座位置４４に誘導することができる。
【００２５】
一方、球発射レール４は、図８に示すように、線状底部４１３の前後方向Ｄにおける位置が、打球方向Ｒ（打球方向Ｒの前方）に向かうに連れて奥側に位置する状態で配置することもできる。この場合には、球発射レール４の奥側傾斜面４１１における後端側部分の前後方向Ｄの幅が大きくなるとともに、手前側傾斜面４１２における後端側部分の前後方向Ｄの幅が小さくなる。そして、着座位置４４における遊技球８の前後方向Ｄの位置がベース板２の側から遠くなる。
また、この場合には、整流器から球発射レール４に供給された遊技球８が、球案内部材５による奥側の壁に一旦衝突した後、手前側に向かって転がりながら着座位置４４に案内される際に、遊技球８の転動方向が線状底部４１３の前後の傾き方向と同じ方向の成分を有することから、スムーズに遊技球８を着座位置４４に誘導することができる。
【００２６】
図１、図２に示すように、本例の球発射装置１の打球槌３は、コイル２３の励磁によって磁気吸引されて、遊技球８を打球するフラッパーソレノイド構造のものである。ベース板２には、通電によって励磁されるコイル２３と、自重によって初期位置３０１に復帰した打球槌３が当接する初期位置ストッパー２４Ａと、コイル２３の励磁によって打球位置３０２に回動した打球槌３が当接する打球位置ストッパー２４Ｂとが配置されている。
コイル２３は、樹脂製のボビン２３１の外周に巻き付けられている。初期位置ストッパー２４Ａには、打球槌３の打球部３３の背面が当接する。打球位置ストッパー２４Ｂには、打球槌３のアーム部３１における、打球部３３とは反対側の端部に設けられたアーム突起部３１１が当接する。
【００２７】
打球槌３は、ベース板２に対して軸受２５を介して回動可能に配置されている。打球槌３は、金属製のアーム部３１と、アーム部３１における回動中心を形成する回動支点部３２と、アーム部３１の先端部に取り付けられ、遊技球８と衝突する平坦面を有する樹脂製の打球部３３と、アーム部３１に取り付けられてコイル２３の内部に挿入可能な可動コア部３４とを有している。
図６に示すように、打球槌３の回動支点部３２は、ベース板２に配置された一対の軸受２５によって両端支持される軸部材によって形成されている。奥側（図中右側）の軸受２５は、ベース板２に設けられた貫通穴２８１に支持（埋設）されており、手前側（図中左側）の軸受２５は、ベース板２に取り付けられた支持部材２６に支持されている。
【００２８】
奥側の軸受２５がベース板２の貫通穴２８１に支持されていることにより、打球槌３のアーム部３１をベース板２の表面２０１に近い位置に配置し、球発射装置１の前後方向Ｄにおける厚みを小さくしている。
回動支点部３２は、アーム部３１に設けられた嵌合穴３１２に嵌合しており、アーム部３１は、バネ２５１の付勢力を受けて、前後方向Ｄの位置が固定されている。ベース板２の裏面には、奥側の軸受２５を覆うカバー２９１が取り付けられている。
【００２９】
図１、図２に示すように、可動コア部３４における外周側部分３４１は、打球槌３の回動支点部３２を中心として描かれる仮想円に沿った凸状の円弧形状に形成されている。これにより、打球槌３が打球位置３０２に回動して可動コア部３４がコイル２３の内部に挿入される際に、可動コア部３４とコイル２３との干渉を避けることができる。
コイル２３の内部における、可動コア部３４が配置されない部分と、コイル２３における、可動コア部３４が挿入されない側の端部とには、固定コア２７が配置されている。固定コア２７における、可動コア部３４の外周側部分３４１に対向する内周側部分２７１は、打球槌３の回動支点部３２を中心として描かれる仮想円に沿った凹状の円弧形状に形成されている。そして、可動コア部３４の外周側部分３４１と固定コア２７の内周側部分２７１との隙間が、最小かつ一定になり、コイル２３に通電を行った際に、可動コア部３４及び固定コア２７を利用した磁気回路を安定して形成することができる。
【００３０】
ベース板２及びアーム部３１は、板金（軟磁性材料）によって形成されており、可動コア部３４及び固定コア２７は、電磁鋼板（軟磁性材料）によって形成されている。球発射装置１は、コイル２３に通電を行った際に形成される磁束が、アーム部３１、可動コア部３４、固定コア２７及びベース板２を通過して磁気回路を形成するよう構成されている。
また、ベース板２における、コイル２３が配置される部分と、可動コア部３４が対向して配置される部分とには、貫通穴２８２が形成されている。貫通穴２８２の形成により、コイル２３の配置を容易にするとともに、可動コア部３４のベース板２への吸着を防止している。
【００３１】
図１に示すように、打球槌３が初期位置３０１にある状態において、可動コア部３４の先端部は、コイル２３の内部に配置されている。これにより、コイル２３に通電を行ったときに発生する磁束が、可動コア部３４を通過しやすくなり、打球槌３を初期位置３０１から打球位置３０２へ駆動する力を強くすることができる。
【００３２】
ベース板２の表面２０１側には、コイル２３、各ストッパー２４Ａ，２４Ｂ、打球槌３、球発射レール４、球案内部材５等を覆うカバー２９２が配置される。カバー２９２の配置により、手前側の軸受２５に異物が入ることを防止することができる。カバー２９２における、初期位置３０１にある打球槌３の打球部３３の付近には、メンテナンス用の切欠き２９３が設けられている。また、カバー２９２における、球発射レール４及び球案内部材５の付近には、メンテナンス用の貫通穴２９４が設けられている。
【００３３】
本例の遊技機６の球発射装置１においては、球発射レール４の載置面４０に形成されたＶ形状溝４１の線状底部４１３を、ベース板２の表面２０１に垂直な前後方向Ｄ（遊技盤６２の前後方向Ｄ）に傾斜させている。そして、球発射レール４は、線状底部４１３の全体を含む、ベース板２の表面２０１に垂直な仮想面Ｘに沿って、ベース板２の表面２０１に平行にスライド可能である。そのため、球発射レール４をスライドさせることにより、Ｖ形状溝４１に載置される遊技球８の前後方向Ｄにおける発射位置を、容易に変化させることができる。
【００３４】
また、球発射レール４は、ベース板２の表面２０１に平行にスライドするのみであり、ベース板２の表面２０１に垂直な方向における位置は変化しない。また、球発射レール４以外の別部品を用いる必要がなく、部品点数が増加することもない。そして、別部品を用いる必要がないことにより、別部品の加工誤差、組付誤差等の影響を受けることがなく、球発射レール４は、遊技球８の前後方向Ｄの発射位置の微調整に最適である。
【００３５】
それ故、本例の遊技機６の球発射装置１によれば、別途、部品を使用することなく、遊技球８の前後方向Ｄにおける発射位置を、容易に変化させることができる。
【符号の説明】
【００３６】
１  球発射装置
２  ベース板
３  打球槌
３０１  初期位置
３０２  打球位置
４  球発射レール
４０  載置面
４１  Ｖ形状溝
４１１  奥側傾斜面
４１２  手前側傾斜面
４１３  線状底部
４２    第１板部
４３  第２板部
６  遊技機
８  遊技球
【図１】
0006416000.tif 000002
【図２】
0006416000.tif 000003
【図３】
0006416000.tif 000004
【図４】
0006416000.tif 000005
【図５】
0006416000.tif 000006
【図６】
0006416000.tif 000007
【図７】
0006416000.tif 000008
【図８】
0006416000.tif 000009